(57)【要約】【課題】支持アームに想定以上の荷重がかかる不測の事態でも、仮柱が折れることによる工事費の増加や工事日程の遅れを防止可能な電柱元穴建替用架線仮移設工具を提供する。【解決手段】仮柱１０と支持材２０とアームタイ３０とを有する。支持材２０は一端が既設電柱１に着脱可能で他端が仮柱１０に着脱可能である。支持材２０は、既設電柱１または仮柱１０に取り付けられて既設電柱１から取り外された架線を支持可能である。アームタイ３０は、一端が支持材２０の中間位置に取り付けられ、他端が既設電柱１または仮柱１０に選択的に取り付けられる。アームタイ３０は、支持材２０の中間位置を支持可能である。アームタイ３０は、上方から一端に所定以上の荷重がかかったとき折れ曲がるための薄肉部３０ｂを有する。【選択図】図１
2019126194.tif 000002
【特許請求の範囲】
【請求項１】
既設電柱を撤去して、同じ位置に新しい電柱を建てるときに使用される電柱元穴建替用架線仮移設工具であって、
仮柱と、
一端が前記既設電柱に着脱可能で他端が前記仮柱に着脱可能であって前記既設電柱または前記仮柱に取り付けられて前記既設電柱から取り外された架線を支持可能な支持材と、
一端が前記支持材の中間位置に取り付けられ、他端が前記既設電柱または前記仮柱に選択的に取り付けられて前記中間位置を支持可能であって、上方から前記一端に所定以上の荷重がかかったとき折れ曲がるための薄肉部を有するアームタイとを、
有することを特徴とする電柱元穴建替用架線仮移設工具。
【請求項２】
前記支持材は電柱側上部支持アームと電柱側下部支持アームと仮柱側上部支持アームと仮柱側下部支持アームと支持柱と高さ調整部材とを有し、
前記電柱側上部支持アームは前記既設電柱から横方向に伸びるよう一端が前記既設電柱に着脱可能に取り付けられ、
前記電柱側下部支持アームは前記電柱側上部支持アームの下方で前記既設電柱から横方向に伸びるよう一端が前記既設電柱に着脱可能に取り付けられ、
前記仮柱側上部支持アームは一端が前記高さ調整部材を介して前記電柱側上部支持アームの他端に取り付けられ、他端が前記仮柱に着脱可能に取り付けられ、
前記仮柱側下部支持アームは一端が前記電柱側下部支持アームの他端に取り付けられ、他端が前記仮柱に着脱可能に取り付けられ、
前記支持柱は架線支持部を有して前記電柱側上部支持アームおよび前記電柱側下部支持アームに取り付けられ、
前記高さ調整部材は前記電柱側上部支持アームに対して前記仮柱側上部支持アームの高さを調整可能に設けられることを、
特徴とする請求項１記載の電柱元穴建替用架線仮移設工具。
【請求項３】
前記アームタイは前記一端が前記支持柱の下端に前記支持柱の中心線を中心として回転可能に取り付けられることを、
特徴とする請求項２記載の電柱元穴建替用架線仮移設工具。
【請求項４】
前記仮柱側上部支持アームは前記一端が前記高さ調整部材に水平角を調整可能に取り付けられ、
前記仮柱側下部支持アームは前記一端が前記電柱側下部支持アームに水平角を調整可能に取り付けられることを、
特徴とする請求項２または３記載の電柱元穴建替用架線仮移設工具。
【発明の詳細な説明】
【技術分野】
【０００１】
本発明は、電柱元穴建替用架線仮移設工具に関する。
【背景技術】
【０００２】
従来、既存の電柱の位置に新しい電柱を建てるための架線仮移設工具として、既設の電柱に支持アームを水平に取り付けて電線等の架線を移設し、仮柱を立てて支持アームを仮柱に固定した後、支持アームを既設の電柱から取り外して既設の電柱を撤去し、新しい電柱を立てた後、支持アームから架線を新しい電柱に移設できるものが開発されている（例えば、特許文献１参照）。この工具では、支持アームと既設の電柱または仮柱との間にアームタイが架け渡される。これにより、架線が強風などを受けて振動した場合に支持アームに想定以上の荷重がかかって支持アームが傾き、架線が落下する事故を未然に防止することができる。
【先行技術文献】
【特許文献】
【０００３】
【特許文献１】特許第５５２７８６４号公報
【発明の概要】
【発明が解決しようとする課題】
【０００４】
しかしながら、特許文献１に記載の架線仮移設工具で、支持アームに想定以上の荷重がかかったとき、アームタイが仮柱に負荷を与え、仮柱を折ってしまうことが考えられる。仮柱が折れた場合、新しい電柱への建替えは困難となり、あらためて工事を行う必要があるため、工事費がかさむとともに工事日程が遅れるという課題があった。
【０００５】
本発明は、このような課題に着目してなされたもので、支持アームに想定以上の荷重がかかる不測の事態でも、仮柱が折れることによる工事費の増加や工事日程の遅れを防止可能な電柱元穴建替用架線仮移設工具を提供することを目的とする。
【課題を解決するための手段】
【０００６】
上記目的を達成するために、本発明に係る電柱元穴建替用架線仮移設工具は、既設電柱を撤去して、同じ位置に新しい電柱を建てるときに使用される電柱元穴建替用架線仮移設工具であって、仮柱と、一端が前記既設電柱に着脱可能で他端が前記仮柱に着脱可能であって前記既設電柱または前記仮柱に取り付けられて前記既設電柱から取り外された架線を支持可能な支持材と、一端が前記支持材の中間位置に取り付けられ、他端が前記既設電柱または前記仮柱に選択的に取り付けられて前記中間位置を支持可能であって、上方から前記一端に所定以上の荷重がかかったとき折れ曲がるための薄肉部を有するアームタイとを、有することを特徴とする。
架線としては、例えば、通信線、低圧線、高圧線などが挙げられる。
【０００７】
本発明に係る電柱元穴建替用架線仮移設工具は、以下のように使用される。まず、既設電柱に支持材の一端を取り付け、アームタイの一端を支持材の中間位置に取り付け、他端を既設電柱に取り付ける。支持材により既設電柱から取り外された架線を支持する。仮柱を立て、仮柱に支持材の他端を取り付ける。アームタイの他端を既設電柱から取り外し、仮柱に取り付ける。既設電柱から支持材の一端を取り外し、既設電柱を撤去する。同じ位置に新しい電柱を立て、新しい電柱に架線を移設する。仮柱からアームタイおよび支持材を取り外し、仮柱を撤去する。架線を支持材およびアームタイで支持しているとき、強風などでアームタイに所定以上の荷重がかかると、アームタイは薄肉部で折れ曲がる。このため、アームタイが仮柱に負荷を与えて仮柱が折れるのを防ぎ、仮柱が折れることによる工事費の増加や工事日程の遅れを防止することができる。
【０００８】
本発明に係る電柱元穴建替用架線仮移設工具において、前記支持材は電柱側上部支持アームと電柱側下部支持アームと仮柱側上部支持アームと仮柱側下部支持アームと支持柱と高さ調整部材とを有し、前記電柱側上部支持アームは前記既設電柱から横方向に伸びるよう一端が前記既設電柱に着脱可能に取り付けられ、前記電柱側下部支持アームは前記電柱側上部支持アームの下方で前記既設電柱から横方向に伸びるよう一端が前記既設電柱に着脱可能に取り付けられ、前記仮柱側上部支持アームは一端が前記高さ調整部材を介して前記電柱側上部支持アームの他端に取り付けられ、他端が前記仮柱に着脱可能に取り付けられ、前記仮柱側下部支持アームは一端が前記電柱側下部支持アームの他端に取り付けられ、他端が前記仮柱に着脱可能に取り付けられ、前記支持柱は架線支持部を有して前記電柱側上部支持アームおよび前記電柱側下部支持アームに取り付けられ、前記高さ調整部材は前記電柱側上部支持アームに対して前記仮柱側上部支持アームの高さを調整可能に設けられることが好ましい。
【０００９】
この場合、フランジなどで仮柱に仮柱側上部支持アームが取り付けられないとき、高さ調整部材により電柱側上部支持アームに対して仮柱側上部支持アームの高さを調整して、仮柱に取り付けることができる。
【００１０】
本発明に係る電柱元穴建替用架線仮移設工具において、前記アームタイは前記一端が前記支持柱の下端に前記支持柱の中心線を中心として回転可能に取り付けられることが好ましい。
この場合、アームタイの他端を既設電柱から取り外して仮柱に取り付けるとき、アームタイの一端を支持材の下端に対して回転させ、他端を容易に仮柱に取り付けることができる。
【００１１】
本発明に係る電柱元穴建替用架線仮移設工具において、前記仮柱側上部支持アームは前記一端が前記高さ調整部材に水平角を調整可能に取り付けられ、前記仮柱側下部支持アームは前記一端が前記電柱側下部支持アームに水平角を調整可能に取り付けられることが好ましい。
この場合、仮柱側上部支持アームおよび仮柱側下部支持アームはそれぞれ一端が水平角を調整可能なため、仮柱の位置にかかわらず、仮柱側上部支持アームおよび仮柱側下部支持アームを仮柱に取り付けることができる。このため、任意の位置に仮柱を設置することができるので、仮柱の設置時間を短縮することができる。
【発明の効果】
【００１２】
本発明によれば、支持アームに想定以上の荷重がかかる不測の事態でも、仮柱が折れることによる工事費の増加や工事日程の遅れを防止可能な電柱元穴建替用架線仮移設工具を提供することができる。
【図面の簡単な説明】
【００１３】
【図１】本発明の実施の形態の電柱元穴建替用架線仮移設工具を示す（Ａ）平面図、（Ｂ）正面図である。
【図２】図１に示す電柱元穴建替用架線仮移設工具の高さ調整部材を示す（Ａ）平面図、（Ｂ）一部省略平面図、（Ｃ）正面図、（Ｄ）右側面図である。
【図３】図１に示す電柱元穴建替用架線仮移設工具の回転部材を示す（Ａ）平面図、（Ｂ）正面図、（Ｃ）右側面図、（Ｄ）底面図である。
【発明を実施するための形態】
【００１４】
以下、図面に基づき、本発明の実施の形態について説明する。
図１〜図３は、本発明の実施の形態の電柱元穴建替用架線仮移設工具を示している。
図１に示すように、電柱元穴建替用架線仮移設工具は、既設電柱１を撤去して、同じ位置に新しい電柱を建てるときに使用される。電柱元穴建替用架線仮移設工具は、仮柱１０と、支持材２０と、アームタイ３０とを有する。仮柱１０は、複数本の仮柱部材を縦に連結して成っていても、複数本の径の異なる筒状の仮柱部材を同心状に重ねた状態から伸ばして成っていてもよい。
【００１５】
支持材２０は、電柱側上部支持アーム２１と電柱側下部支持アーム２２と仮柱側上部支持アーム２３と仮柱側下部支持アーム２４と高さ調整部材２５と支持柱２６とを有している。電柱側上部支持アーム２１と電柱側下部支持アーム２２と仮柱側上部支持アーム２３と仮柱側下部支持アーム２４とは、ＦＲＰから成っている。電柱側上部支持アーム２１は、既設電柱１から垂直に横方向に伸びるよう、アームバンド２７により一端が既設電柱１に着脱可能に取り付けられる。電柱側下部支持アーム２２は、電柱側上部支持アーム２１と同一の部材から成り、電柱側上部支持アーム２１の下方で既設電柱１から垂直に横方向に伸びるよう、アームバンド２７により一端が既設電柱１に着脱可能に取り付けられる。電柱側上部支持アーム２１および電柱側下部支持アーム２２には、長さ方向に間隔をあけて縦方向および横方向に貫通する複数の取付孔２１ａ，２２ａが形成されている。
【００１６】
仮柱側上部支持アーム２３および仮柱側下部支持アーム２４は、それぞれアーム本体２３ａ，２４ａと角度調整部材２８とを有している。各アーム本体２３ａ，２４ａには、長さ方向に間隔をあけて縦方向および横方向に貫通する複数の取付孔２３ｂ，２４ｂが形成されている。角度調整部材２８は、アーム本体２３ａ，２４ａの一端に設けられている。角度調整部材２８は、平行に対向する２枚の扇形板をそれぞれ半径位置で側板により結合した形状を有している。各扇形板は、コーナー付近でアーム本体２３ａ，２４ａに軸材２８ａにより回転可能に取り付けられている。各扇形板には、円弧に沿って複数の取付孔２８ｂが間隔をあけて形成されている。各扇形板の任意の取付孔２８ｂとアーム本体２３ａ，２４ａの取付孔２３ｂ，２４ｂとをボルトで結合することにより、角度調整部材２８に対してアーム本体２３ａ，２４ａを任意の水平角で固定することができる。
【００１７】
図２に示すように、高さ調整部材２５は、１対の押さえ部材３１と取付部材３２と４本のボルト３３と８個のナット３４とを有している。各押さえ部材３１は、それぞれ１対の貫通孔を有している。取付部材３２は、４つの貫通孔を有している。各ボルト３３は、各貫通孔に挿入され、ナット３４で取付部材３２に固定されている。各押さえ部材３１と取付部材３２との間に電柱側上部支持アーム２１を挟んで、各押さえ部材３１の各貫通孔にボルト３３を挿入し、ナット３４で締め付けることにより高さ調整部材２５を電柱側上部支持アーム２１に固定することができる。
【００１８】
角度調整部材２８は、側部に取付部を有し、ボルトおよびナットを用いて取付部で仮柱側上部支持アーム２３、仮柱側下部支持アーム２４または高さ調整部材２５の取付部材３２に取り付けることができる。必要に応じて高さ調整部材２５を用いることにより、電柱側上部支持アーム２１に対して仮柱側上部支持アーム２３の高さを調整することができる。
【００１９】
仮柱側上部支持アーム２３は、一端の角度調整部材２８が高さ調整部材２５を介して電柱側上部支持アーム２１の他端に取り付けられ、一端が角度調整部材２８により高さ調整部材２５に水平角を調整可能に取り付けられる。仮柱側上部支持アーム２３は、仮柱１０から垂直に横方向に伸びるよう、他端が仮柱１０にアームバンド２７により着脱可能に取り付けられる。仮柱側上部支持アーム２３の一端は、高さ調整部材２５を介さずに直接、電柱側上部支持アーム２１の他端に取り付けられてもよい。仮柱側下部支持アーム２４は、一端の角度調整部材２８が電柱側下部支持アーム２２の他端に取り付けられ、一端が角度調整部材２８により電柱側下部支持アーム２２に水平角を調整可能に取り付けられる。仮柱側下部支持アーム２４は、仮柱１０から垂直に横方向に伸びるよう、他端が仮柱１０にアームバンド２７により着脱可能に取り付けられる。
【００２０】
支持柱２６は、長さ方向に間隔をあけてフック状の複数の架線支持部２９を有している。支持柱２６は、支持材２０の全体の中間位置に位置付けられ、ボルトおよびナットにより電柱側上部支持アーム２１および電柱側下部支持アーム２２に垂直に取り付けられる。支持柱２６は、架線支持部２９により既設電柱１から取り外された架線を支持可能である。架線は、通信線、低圧線、高圧線などである。
【００２１】
アームタイ３０は、一端に図３に示す回転部材３５を有している。回転部材３５は、取付基部３６と押さえリング３７と下側押さえ部３８とを有している。取付基部３６は、角筒部３６ａとフランジ３６ｂとを有している。角筒部３６ａは、側部に固定孔３６ｃを有し、内部に支持柱２６の下端を挿入させ、固定孔３６ｃにボルト３６ｄを貫通させて支持柱２６の下端に固定可能となっている。フランジ３６ｂは、角筒部３６ａの下端で角筒部３６ａの側面から垂直に突出し、角筒部３６ａに一体的に設けられている。押さえリング３７は、周囲に取付孔３７ａを有し、角筒部３６ａの周囲でフランジ３６ｂの上面に接触している。下側押さえ部３８は、取付板３８ａと突出部３８ｂとを有している。取付板３８ａは、フランジ３６ｂの下面に接触し、押さえリング３７との間にフランジ３６ｂを回転可能に挟んでいる。取付板３８ａは、周囲に取付孔３８ｃを有している。押さえリング３７および取付板３８ａは、それぞれ取付孔３７ａ，３８ｃでボルトおよびナットにより固定されている。突出部３８ｂは、取付板３８ａと一体をなし、取付板３８ａの下面から垂直に突出している。突出部３８ｂは、貫通する取付孔３８ｄを有し、取付孔３８ｄを貫通するボルトによりアームタイ３０の本体に回転可能に取り付けられている。
【００２２】
アームタイ３０は、一端の回転部材３５により支持柱２６の下端に支持柱２６の中心線を中心として回転可能に取り付けられる。アームタイ３０は、本体に長さ方向に間隔をあけて貫通する複数の取付孔３０ａを有している。アームタイ３０は、他端がアームタイバンド３９により既設電柱１または仮柱１０に選択的に取り付けられて支持柱２６を支持可能である。アームタイ３０は、上方から一端に所定以上の荷重がかかったとき折れ曲がるための薄肉部３０ｂを本体側部の中間位置に有している。薄肉部３０ｂは、アームタイ３０の本体の側部下側に切欠きを形成することにより形成されている。
【００２３】
電柱元穴建替用架線仮移設工具は、以下のように使用される。まず、既設電柱１に電柱側上部支持アーム２１および電柱側下部支持アーム２２のそれぞれ一端をアームバンド２７で取り付ける。次に、アームタイ３０の一端の回転部材３５を支持柱２６の下端に取り付け、アームタイ３０の他端をアームバンド２７で既設電柱１に取り付ける。支持柱２６の架線支持部２９により既設電柱１から取り外された架線を支持する。既設電柱１の近くに仮柱１０を鉛直に立て、仮柱１０に仮柱側上部支持アーム２３および仮柱側下部支持アーム２４のそれぞれ他端をアームバンド２７により取り付ける。
【００２４】
このとき、仮柱側上部支持アーム２３および仮柱側下部支持アーム２４はそれぞれ一端が角度調整部材２８により水平角を調整可能なため、仮柱１０の位置にかかわらず、仮柱側上部支持アーム２３および仮柱側下部支持アーム２４を仮柱１０に取り付けることができる。このため、任意の位置に仮柱１０を設置することができるので、仮柱１０の設置時間を短縮することができる。
【００２５】
フランジ１１などの障害物で仮柱１０に仮柱側上部支持アーム２３が取り付けられないときには、仮柱側上部支持アーム２３の他端に高さ調整部材２５を固定する。高さ調整部材２５により電柱側上部支持アーム２１に対して仮柱側上部支持アーム２３の高さを調整し、障害物を避けて仮柱側上部支持アーム２３を仮柱１０に取り付けることができる。
次に、アームタイバンド３９を既設電柱１から外し、アームタイ３０の他端を既設電柱１から取り外す。そして、アームタイ３０の一端を回転部材３５により支持柱２６の下端に対して回転させる。これにより、アームタイ３０の他端を容易に仮柱１０に取り付けることができる。
【００２６】
既設電柱１から電柱側上部支持アーム２１および電柱側下部支持アーム２２のそれぞれ一端を取り外し、既設電柱１を撤去する。同じ位置に新しい電柱を立て、新しい電柱に架線支持部２９から架線を移設する。仮柱１０からアームタイ３０、仮柱側上部支持アーム２３および仮柱側下部支持アーム２４を取り外し、仮柱１０を撤去する。
【００２７】
架線を支持柱２６およびアームタイ３０で支持しているとき、強風などでアームタイ３０に所定以上の荷重がかかると、アームタイ３０は薄肉部３０ｂで斜め上方に折れ曲がる。このため、アームタイ３０が仮柱１０に負荷を与えて仮柱１０が折れるのを防ぎ、仮柱１０が折れることによる工事費の増加や工事日程の遅れを防止することができる。
【符号の説明】
【００２８】
１  既設電柱
１０  仮柱
１１  フランジ
２０  支持材
２１  電柱側上部支持アーム
２２  電柱側下部支持アーム
２３  仮柱側上部支持アーム
２４  仮柱側下部支持アーム
２５  高さ調整部材
２６  支持柱
２７  アームバンド
２８  角度調整部材
２９  架線支持部
３０  アームタイ
３１  押さえ部材
３２  取付部材
３３  ボルト
３４  ナット
３５  回転部材
３６  取付基部
３７  押さえリング
３８  下側押さえ部
３９  アームタイバンド
【図１】
2019126194.tif 000003
【図２】
2019126194.tif 000004
【図３】
2019126194.tif 000005